(57)【要約】【課題】  発熱面積が広く、瞬時に昇温することにより熱効率が高く、さらに平面で発熱するために均一的な温度分布が得られ、低コストで効率よく加熱保温することができる栽培容器用温床装置を提供すること。【解決手段】  本発明の栽培容器用温床装置は、農産物栽培用ハウス内の高設ベンチ上に配設される栽培容器内に、発熱体を内設したことを特徴とする。また前記発熱体は、ポリエステルフィルムの上面にニッケルインヂウム酸化化合物を添加した塗料を塗布した面にポリエステルフィルムを積層被覆し、両端に電極を圧着接合し電極部に電源を接続して形成される。【選択図】図１
2007236366.tif 000002
【特許請求の範囲】
【請求項１】
農産物栽培用ハウス内の高設ベンチ上に配設される栽培容器内に、発熱体を内設したことを特徴とする栽培容器用温床装置。
【請求項２】
前記発熱体は、ポリエステルフィルムの上面にニッケルインヂウム酸化化合物を添加した塗料を塗布した面にポリエステルフィルムを積層被覆し、両端に電極を圧着接合し電極部に電源を接続して形成される請求項１記載の栽培容器用温床装置。
【請求項３】
前記発熱体に、単一あるいは多成分系の金属酸化物ガラス膜により形成されるガラス膜層を施した請求項１または２記載の栽培容器用温床装置。
【請求項４】
前記ガラス膜層は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなる膜層により形成したことを特徴とする請求項３記載の栽培容器用温床装置。
【請求項５】
前記発熱体の上下面に、アルミシートからなる反射材を被覆させた請求項１乃至４のうちいずれか一項記載の栽培容器用温床装置。
【発明の詳細な説明】
【技術分野】
【０００１】  本発明は、発熱面積が広く均一的な温度分布が得られ、低コストで効率よく加熱保温することができる栽培容器用温床装置に関する。
【背景技術】
【０００２】  従来、簡単に端部の封止ができ、畝上もしくは畝裾等の任意の位置に、任意の長さで敷設できる保温用水枕及びそれを用いた植物の栽培方法がある（例えば、特許文献１参照）。
上掲の保温用水枕は、熱可塑性合成樹脂フィルムからなり内部に液体を封入し得るよう筒状に形成された筒状体の長手方向に沿って、周方向の略１／２が透光性となされ、残余の略１／２が黒色遮光性となされた、植物をハウス栽培又はトンネル栽培する際にハウス内又はトンネル内で用いられることを特徴としている。
【特許文献１】特開２０００−１５７０７０号公報（第１−２頁、図１）
【発明の開示】
【発明が解決しようとする課題】
【０００３】  しかしながら、上掲の保温用水枕は、水を保温するため多くのエネルギーが必要となり、コスト高に繋がるといった欠点があった。また、枕内の水を任意の温度まで上昇させるにはかなりの時間を必要とするため、利便性や作業性、また効率面で多くの問題が残った。【０００４】  そこで本発明は上記の点に鑑み、発熱面積が広く、瞬時に昇温することにより熱効率が高く、さらに平面で発熱するために均一的な温度分布が得られ、低コストで効率よく加熱保温することができる栽培容器用温床装置を提供することにある。
【課題を解決するための手段】
【０００５】  上記課題を解決するために、本発明の栽培容器用温床装置は、農産物栽培用ハウス内の高設ベンチ上に配設される栽培容器内に、発熱体を内設したことを特徴とする。また前記発熱体は、ポリエステルフィルムの上面にニッケルインヂウム酸化化合物を添加した塗料を塗布した面にポリエステルフィルムを積層被覆し、両端に電極を圧着接合し電極部に電源を接続して形成される。また前記発熱体に、単一あるいは多成分系の金属酸化物ガラス膜により形成されるガラス膜層を施した。また前記ガラス膜層は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなる膜層により形成したことを特徴とする。さらに前記発熱体の上下面に、アルミシートからなる反射材を被覆させた。
【発明の効果】
【０００６】  高設ベンチ上に配設される栽培容器内に発熱体を内設したことにより、発熱面積が広く、瞬時に昇温することで熱効率が高く、さらに平面で発熱するために均一的な温度分布が得られ、栽培容器内を低コストで効率よく加熱保温することができる。【０００７】  また前記発熱体に、単一あるいは多成分系の金属酸化物ガラス膜により形成されるガラス膜層を施したことで、発熱体のコーティング効果が高まる。さらに前記発熱体の上下面にアルミシート反射材を被覆させたことにより、発熱体から発せられる熱の漏れを防ぐと共に、熱が栽培容器内に効率よく反射され、植物の発育が高まり電力コストも軽減できる。
【発明を実施するための最良の手段】
【０００８】  以下、本発明における栽培容器用温床装置の実施の形態を図面に基づいて説明する。
図示する栽培容器用温床装置１は、農産物栽培用ハウス内Ａ内の高設ベンチ１０上に配設される栽培容器２内に、発熱体３を内設させたことを特徴とする。
【０００９】  栽培容器２は、石材、樹脂、発砲樹脂、木材、金属等で形成することができ、上部および前後面は開口された状態となっている。また高設ベンチ１０は、前記栽培容器２を略１ｍの高さに保持するように形成されている。
【００１０】  前記発熱体３は、ポリエステルフィルム５の上面にニッケルインヂウム酸化化合物を添加した塗料４を塗布した面にポリエステルフィルム５′を積層被覆し、両端に電極を圧着接合し電極部８に電源コードを介して電源９を接続して形成される。前記発熱体３は発熱面積が広く、瞬時に昇温することにより熱効率が高く、さらに平面で発熱するために均一的な温度分布が得られる。そのため、栽培容器２内を低コストで効率よく加熱保温することができるという特性を有する。なおこの技術は、特開２００４−３１６３７７号公報に開示されている。
【００１１】  また他の好適例として、図３に示すように、前記発熱体３に、単一あるいは多成分系の金属酸化物ガラス膜により形成されるガラス膜層６を施した。前記ガラス膜層６は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなる膜層により形成したことを特徴とする。
【００１２】  また前記ガラス膜層６を形成するには、予め、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成しておく。そして、この反応生成物を部材の表面に所定厚み分塗布し、５０〜６０度以下の温度でガラス化させることによりガラス膜を形成する。また前記発熱体３に、単一あるいは多成分系の金属酸化物ガラス膜により形成されるガラス膜層６を施したことで、発熱体３のコーティング効果が高まる。なお、この金属酸化物ガラスの形成方法は、特開平６−１９９５２８号公報（特許第２５３８５２７号）に記載された公知の技術である。
【００１３】  他の好適例として、前記発熱体３の上下面に、アルミシートからなる反射材７を配設させた。アルミシートの反射材７は、図５に示すように熱伝導フィラメント３の上下面と、栽培容器２内に配設された状態に設けることが好ましい。そのことにより、発熱体３から発せられる熱の漏れを防ぐと共に、熱が栽培容器２内に効率よく反射され、植物の発育が高まり電力コストも軽減できる。
【００１４】  次に、本発明における栽培容器用温床装置１の使用方法の詳細を説明する。
農産物栽培用ハウスＡ内の高設ベンチ１０上に栽培容器２を載置し、かかる栽培容器２内の底面略中央に発熱体３を敷設する。かかる発熱体３を敷設した後、栽培容器２内に土や堆肥を収容させ、植物の種や苗を植え付ける。
【００１５】  植物の種や苗を植え付けた後、電極部８を電源９に接続し、発熱体３を所望の温度まで上昇させる。なおこの際、土や堆肥内に水遣り用の給水管１１を配設することが好ましい。また前記栽培容器用温床装置１に、発熱体３の温度が下がった際、一定の温度まで上昇させるサーモスタット（図示せず）を装着させてもよい。
【００１６】  また、前記栽培容器用温床装置１は、図７に示すように、農産物栽培用ハウスＡ内に配列された栽培容器２に収容され、電源９からの電力により、複数の栽培容器２を効率よく加熱保温することができる。なお、前記栽培容器用温床装置１は、配設する場所や長さ等は特に限定されたものではない。さらに、設定温度を調節することで、様々な植物育成向上を実現できることは言うまでもない。
【図面の簡単な説明】
【００１７】
【図１】本発明の栽培容器用温床装置の全体斜視図である。
【図２】発熱体の拡大断面図である。
【図３】他の好適例を示す発熱体の拡大断面図である。
【図４】栽培容器用温床装置の断面図である。
【図５】他の好適例を示す栽培容器用温床装置の断面図である。
【図６】栽培容器用温床装置の使用状態の断面図である。
【図７】栽培容器用温床装置の使用状態のブロック図である。
【符号の説明】
【００１８】１    栽培容器用温床装置
２    栽培容器
３    発熱体
４    塗料
５    ポリエステルフィルム
５′  ポリエステルフィルム
６    ガラス膜層
７    反射材
８    電極部
９    電源
１０  高設ベンチ
１１  給水管
Ａ    農産物栽培用ハウス
【図１】
2007236366.tif 000003
【図２】
2007236366.tif 000004
【図３】
2007236366.tif 000005
【図４】
2007236366.tif 000006
【図５】
2007236366.tif 000007
【図６】
2007236366.tif 000008
【図７】
2007236366.tif 000009